(57)【要約】【課題】  上面の凹凸形状の形成が容易となる流路調整ブロックを提供する。【解決手段】  流路調整ブロック１０は、コンクリートよりなる平面視長方形形状のブロック体２０と、自然石よりなる複数の石状体３０とからなる。ブロック体２０は、その上面２１に、溝状に形成された凹部２２を有する。凹部２２の各々は、ほぼ同一深さで形成されると共に、水路４１への流路調整ブロック１０の設置時において、隣接する下流側の凹部２２よりも上方に位置するように形成される。石状体３０の各々は、その一部が上面２１よりも上方に現れる状態で凹部２２の任意の位置において脱着自在に載置され、流路調整ブロック１０における凸部３１を形成する。尚、石状体３０の各々はいずれも固定されずに載置されている。【選択図】  図６
2014001538.tif 000002
【特許請求の範囲】
【請求項１】
水路に設置される流路調整ブロックであって、
上面に少なくとも一つの凹部を有するブロック体と、
一部が前記上面よりも上方に現れる状態で前記凹部に脱着自在に載置され、凸部を形成する少なくとも一つの石状体とからなる、流路調整ブロック。
【請求項２】
前記凹部は、溝状に形成される、請求項１記載の流路調整ブロック。
【請求項３】
前記凹部は、前記水路の流れ方向に対し直交するように形成される、請求項２記載の流路調整ブロック。
【請求項４】
前記凹部は、ほぼ同一深さで複数本形成され、
前記凹部の各々は、隣接する下流側の前記凹部よりも上方に位置するように配置される、請求項２又は請求項３記載の流路調整ブロック。
【請求項５】
前記石状体を固定する部材を更に備える、請求項１から請求項４のいずれかに記載の流路調整ブロック。
【請求項６】
前記凹部の底面に敷設される底上げ材を更に備える、請求項１から請求項５のいずれかに記載の流路調整ブロック。
【発明の詳細な説明】
【技術分野】
【０００１】
この発明は流路調整ブロックに関し、特に水路に設置される流路調整ブロックに関するものである。
【背景技術】
【０００２】
近年の河川工事では、自然に近く且つ周囲の景観に調和する構造物が要求されるようになってきている。そこで、プレキャストコンクリートブロック等を使用した人工的な水路を要する河川工事において、特許文献１に示すような粗石魚道ブロックが用いられるようになっている。
【０００３】
図８は、そのような粗石魚道ブロックの外観形状を示した斜視図であり、図９は、図８に示した粗石魚道ブロックの設置状況を示した端面模式図である。
【０００４】
まず、図８を参照して、粗石魚道ブロック８０は、コンクリートブロック部材８１と、コンクリートブロック部材８１の上面８２から突出した裾野の広がった複数の山形状の擬石８４と、根元の全周を窪ませて浮き石状とさせた複数の擬浮石８５と、上面８２に形成された小さな石状の複数の擬玉模様８６と、上面８２の中央に形成されたプールとなる凹穴８７とからなる。
【０００５】
次に、図８及び図９を参照して、粗石魚道ブロック８０の対向する端部の組の一方の各々の端部８８ａ及び８８ｂに、一対の壁部材８９ａ及び８９ｂを付設して粗石水路式魚道９０を構成する。
このように構成すると、粗石水路式魚道９０に水が流れた場合に、擬石８４、擬浮石８５、擬玉模様８６及び凹穴８７の各々により流速が押さえられて自然の川床に似た構造となるので、粗石水路式魚道９０は魚や節足動物等の生息に適したものとなる。
【先行技術文献】
【特許文献】
【０００６】
【特許文献１】特開２００２−６９９９１号公報
【発明の概要】
【発明が解決しようとする課題】
【０００７】
上述のような粗石魚道ブロック８０は、プレキャストにより製造する場合に、擬石８４は裾野の広がった山形状であるので形成容易であるが、擬浮石８５は根元の全周を窪ませる必要があり、形成にあたっては擬石８４を形成する型枠に窪みに相当するアタッチ部材を付設する等の工程を要し、任意の凹凸形状を形成するのが煩わしいものであった。
【０００８】
尚、他の方法として、アンカー筋を突出させた石をコンクリートブロック部材８１に形成した接合用凹部に挿入して擬浮石８５を形成する方法も提案されているが、やはりそのようにして構成される粗石魚道ブロック８０も固定的となり、任意の凹凸形状を形成するのが煩わしいものと言わざるを得ない。
【０００９】
この発明は、上記のような課題を解決するためになされたもので、上面の凹凸形状の形成が容易となる流路調整ブロックを提供することを目的とする。
【課題を解決するための手段】
【００１０】
上記の目的を達成するために、請求項１記載の発明は、水路に設置される流路調整ブロックであって、上面に少なくとも一つの凹部を有するブロック体と、一部が上面よりも上方に現れる状態で凹部に脱着自在に載置され、凸部を形成する少なくとも一つの石状体とからなるものである。
【００１１】
このように構成すると、凸部がブロック体とは別部材により形成される。
【００１２】
請求項２記載の発明は、請求項１記載の発明の構成において、凹部は、溝状に形成されるものである。
【００１３】
このように構成すると、石状体の平面視における載置場所の選択肢が任意の位置に増える。
【００１４】
請求項３記載の発明は、請求項２記載の発明の構成において、凹部は、水路の流れ方向に対し直交するように形成されるものである。
【００１５】
このように構成すると、流れに対する抵抗が大きくなる。
【００１６】
請求項４記載の発明は、請求項２又は請求項３記載の発明の構成において、凹部は、ほぼ同一深さで複数本形成され、凹部の各々は、隣接する下流側の凹部よりも上方に位置するように配置されるものである。
【００１７】
このように構成すると、ブロック体の上面が上流側に向かって高くなる。
【００１８】
請求項５記載の発明は、請求項１から請求項４のいずれかに記載の発明の構成において、石状体を固定する部材を更に備えるものである。
【００１９】
このように構成すると、石状体の位置が決まる。
【００２０】
請求項６記載の発明は、請求項１から請求項５のいずれかに記載の発明の構成において、凹部の底面に敷設される底上げ材を更に備えるものである。
【００２１】
このように構成すると、凹部の深さが変わる。
【発明の効果】
【００２２】
以上説明したように、請求項１記載の発明は、凸部がブロック体とは別部材により形成されるので、上面の凹凸形状の形成が容易となる。
【００２３】
請求項２記載の発明は、請求項１記載の発明の効果に加えて、石状体の平面視における載置場所の選択肢が任意の位置に増えるので、所望の流路を形成しやすくなる。
【００２４】
請求項３記載の発明は、請求項２記載の発明の効果に加えて、流れに対する抵抗が大きくなるので、流路への影響が図りやすくなる。
【００２５】
請求項４記載の発明は、請求項２又は請求項３記載の発明の効果に加えて、ブロック体の上面が上流側に向かって高くなるので、遡上魚に適したものになる。又、水位が下がっても凹部に水が残り、生態系の保護が図れる。
【００２６】
請求項５記載の発明は、請求項１から請求項４のいずれかに記載の発明の効果に加えて、石状体の位置が決まるので、流路が安定する。
【００２７】
請求項６記載の発明は、請求項１から請求項５のいずれかに記載の発明の効果に加えて、凹部の深さが変わるので、同じ石状体を用いた場合における凸部の突出量の調整が可能となる。
【図面の簡単な説明】
【００２８】
【図１】この発明の第１の実施の形態による流路調整ブロックの平面図である。
【図２】図１で示した流路調整ブロックの正面図である。
【図３】図１で示した流路調整ブロックの凸部の形成前後の状態を示した右側面模式図である。
【図４】図１で示した流路調整ブロックを設置した水路の平面図である。
【図５】図４で示した水路の正面図である。
【図６】図４で示した水路内の水の状況を示した右側面模式図である。
【図７】この発明の第２の実施の形態による流路調整ブロックの右側面図であって、第１の実施の形態の図３に対応する図である。
【図８】従来の粗石魚道ブロックの外観形状を示した斜視図である。
【図９】図８に示した粗石魚道ブロックの設置状況を示した端面模式図である。
【発明を実施するための形態】
【００２９】
図１は、この発明の第１の実施の形態による流路調整ブロックの平面図であり、図２は、図１で示した流路調整ブロックの正面図であり、図３は、図１で示した流路調整ブロックの凸部の形成前後の状態を示した右側面模式図である。
【００３０】
これらの図を参照して、流路調整ブロック１０は、コンクリートよりなる平面視長方形形状の一塊のブロック体２０と、自然石よりなる複数の石状体３０とからなる。
【００３１】
尚、図１及び図３の（１）を参照して、ブロック体２０は、その上面２１に、ブロック体２０の一方端部２４から他方端部２５にかけて、一方端部２４及び他方端部２５に対して直交するように延びる断面形状が逆台形形状を有する溝状に形成された凹部２２を４本有する。ブロック体２０の平面視の寸法は、一方端部２４及び他方端部２５の長さＡが１２６０ｍｍに、一方端部２４及び他方端部２５に直交する端部の長さＢが１８４０ｍｍに、それぞれ設定されている。
【００３２】
又、図２及び図３の（２）を参照して、石状体３０の各々は、その一部が上面２１よりも上方に現れる状態で凹部２２の任意の位置において脱着自在に載置され、流路調整ブロック１０における凸部３１を形成する。尚、石状体３０の各々はいずれも固定されずに載置されている。
【００３３】
このように構成すると、凸部３１がブロック体２０とは別部材である石状体３０により形成されるので、上面２１の凹凸形状の形成が容易となる。又、凹部２２が溝状であるために石状体３０の平面視における載置場所の選択肢が任意の位置に増える。このように構成したことによる効果は後述する。
【００３４】
尚、凹部２２の各々は、後述する水路４１への流路調整ブロック１０の設置時において、水路４１の流れ方向に対し直線状に直交するように形成される。すると、流れに対する抵抗が大きくなるが、このように構成したことによる効果も後述する。
【００３５】
又、図３の（１）を参照して、凹部２２の各々は、ほぼ同一深さで形成される。又、凹部２２の各々は、後述する水路４１への流路調整ブロック１０の設置時において、隣接する下流側の凹部２２よりも上方に位置するように配置される。すると、図３の（２）にて一点鎖線にて示すようにブロック体２０の上面２１が上流側に向かって高くなるが、このように構成したことによる効果も後述する。
【００３６】
尚、ブロック体２０の最も下流側の上面２１までの高さＨ１は１５０ｍｍに、最も上流側の上面２１までの高さＨ２は３００ｍｍに、それぞれ設定されており、上面２１の各々は、隣接する下流側の上面２１よりも５０ｍｍずつ高くなる階段構造を形成している。
【００３７】
図４は、図１で示した流路調整ブロックを設置した水路の平面図であり、図５は、図４で示した水路の正面図であり、図６は、図４で示した水路内の水の状況を示した右側面模式図である。
【００３８】
尚、図４においては上側を、図５においては奥側を、図６においては右側を、それぞれ上流側とする。
【００３９】
まず、図４及び図５を参照して、流路調整ブロック１０は、例えばプレキャストコンクリート製品である三面水路よりなる水路４１内の底面に設置される。水路４１の深さＣは１５００ｍｍに、水路４１の断面方向の幅Ｄは１９００ｍｍに、それぞれ設定されており、流路調整ブロック１０の両側は早強無収縮モルタル４２を介して固定状態にて設置される。尚、流路調整ブロック１０の固定に当たっては、差筋等によるズレ止めを設置してもよい。
【００４０】
設置時における流路調整ブロック１０の向きについては、まず図４を参照して、凹部２２が図４の右側の矢印で示す流れ方向に対して直線状に直交するような向きとされている。すると、上述したように流れに対する抵抗が大きくなるので、流路への影響が図りやすくなる。
【００４１】
具体的には図４の左側の矢印で示すように、凸部３１周辺の流路が凸部３１に沿って蛇行するものとなっている。すなわち、流路は凸部３１の配置に影響されて変化するが、上述したように、凸部３１を形成する石状体３０の平面視における載置場所の選択肢は、凹部２２が溝状に形成されているために任意の位置に増えている。よって、所望の流路を形成しやすくなっている。
【００４２】
又、図５及び図６を参照して、設置時における流路調整ブロック１０の向きについてはブロック体２０の上面２１が上流側に向かって高くなるような向きとされている。すると、上述したようにブロック体２０の上面２１が上流側に向かって高くなるので、遡上魚が上流側に向かって遡上しやすく、遡上魚に適したものになる。
【００４３】
尚、図６の（１）に示すような、流路調整ブロック１０が完全に水没するような水位の場合はもとより、図６の（２）に示すような、水位が流路調整ブロック１０の上端面よりも下がったような場合でも、上流側から流れてきた水４３が図の矢印で示したように、上面２１及び石状体３０の各々により形成された凸部３１に被り、流路調整ブロック１０を乗り越えるようにして下流側に流れていく。
【００４４】
又、図６の（３）に示すように、天候等によって水流が停止してしまったような場合でも、流路調整ブロック１０の凹部２２に水４３が残り、生態系の保護が図れる。
【００４５】
図７は、この発明の第２の実施の形態による流路調整ブロックの右側面図であって、第１の実施の形態の図３に対応する図である。
【００４６】
図を参照して、流路調整ブロック５０は、第１の実施の形態による流路調整ブロック１０の構成において、凹部６２が、各々の底面６３に敷設される底上げ材６４を更に備えたものに置き換えられている。底上げ材６４は、土砂、モルタル、コンクリート等よりなる。尚、他の流路調整ブロック５０の構成要素は第１の実施の形態によるものと同一であるため、ここでの説明は繰り返さない。
【００４７】
このように構成すると、底上げ材６４により凹部６２の深さが変わるので、同じ石状体７０を用いた場合における凸部７１の突出量の調整が可能となる。
【００４８】
尚、上記の各実施の形態では、石状体は固定されずに凹部の任意の場所に載置されていたが、石状体を固定する部材を更に備えてもよい。固定する部材には、例えばアンカーやモルタル等を用いることができる。このように構成すると、石状体の位置が固定的に決まるので、流路が安定する。
【００４９】
又、上記の各実施の形態では、凹部の各々はほぼ同一深さで形成され、隣接する下流側の凹部よりも上方に位置するように配置され、ブロック体の上面が上流側に向かって高くなるものであったが、上面が他の傾きや水路の底面と平行となるものであってもよい。
【００５０】
更に、上記の各実施の形態では、凹部は、水路の流れ方向に対し直線状に直交するように形成されていたが、他の方向や曲線状に形成されていてもよい。
【００５１】
更に、上記の各実施の形態では、凹部は、溝状に形成されていたが、単なる窪み形状を多数配置する等他の形状に形成されていてもよい。
【００５２】
更に、上記の各実施の形態では、凹部は４本形成されていたが、少なくとも一つ形成されていればよく、４本以上形成されていてもよい。
【００５３】
更に、上記の各実施の形態では、石状体は複数載置されていたが、少なくとも一つ載置されていればよい。
【００５４】
更に、上記の各実施の形態では、流路調整ブロックは三面水路に設置されていたが、他の形状の水路や自然の河川、河川敷等に設置されてもよい。
【００５５】
更に、上記の各実施の形態では、流路調整ブロックは早強無収縮モルタルにより固定されていたが、通常のモルタルにより固定されていてもよい。
【００５６】
更に、上記の各実施の形態では、ブロック体は平面視長方形形状とされていたが、他の形状のものであってもよい。
【００５７】
更に、上記の各実施の形態では、ブロック体及び水路は特定寸法に設定されていたが、設置場所に適する他の寸法に設定されてもよい。
【００５８】
更に、上記の各実施の形態では、石状体は自然石よりなるものであったが、コンクリート等を自然石に模した形状に成形したものであってもよい。
【００５９】
更に、上記の各実施の形態では、凹部は断面形状が逆台形形状を有するように形成されていたが、例えば、断面形状が半円形状等、他の形状を有するように形成されていてもよい。
【００６０】
更に、上記の各実施の形態では、ブロック体は一塊のものであったが、凹部の方向に分割できると共に、互いに嵌合できる構造のものであってもよい。
【符号の説明】
【００６１】
１０…流路調整ブロック
２０…ブロック体
２１…上面
２２…凹部
３０…石状体
３１…凸部
４１…水路
５０…流路調整ブロック
６２…凹部
６３…底面
６４…底上げ材
７０…石状体
７１…凸部
尚、各図中同一符号は同一又は相当部分を示す。
【図１】
2014001538.tif 000003
【図２】
2014001538.tif 000004
【図３】
2014001538.tif 000005
【図４】
2014001538.tif 000006
【図５】
2014001538.tif 000007
【図６】
2014001538.tif 000008
【図７】
2014001538.tif 000009
【図８】
2014001538.tif 000010
【図９】
2014001538.tif 000011